(57)【要約】【課題】  コンパクトでありながらホコリの分離効率が向上し、圧力損失が減少された真空掃除機のブラシ組立体を提供する。【解決手段】  本発明のブラシ組立体は、被掃除面と接触されるケーシング部を備えるブラシユニットと、前記ブラシユニットに一端が連結され、他端が真空掃除機の延長管に連結されるサイクロン集塵ユニットとを備え、前記サイクロン集塵ユニットは、前記ブラシユニットから排出される空気の一部を流入して前記空気中のホコリを遠心分離するサイクロン流路と、前記ブラシユニットから排出される残りの空気を前記延長管に直ちに移動させるバイパス流路とを備え、前記サイクロン流路の中心軸は、前記延長管の中心軸と平行であることを特徴とする。【選択図】      図１
2011156345.tif 000002
【特許請求の範囲】
【請求項１】
被掃除面と接触されるケーシング部を備えるブラシユニットと、
前記ブラシユニットに一端が連結され、他端が真空掃除機の延長管に連結されるサイクロン集塵ユニットと、を備え、
前記サイクロン集塵ユニットは、前記ブラシユニットから排出される空気の一部を流入して前記空気中のホコリを遠心分離するサイクロン流路と、前記ブラシユニットから排出される残りの空気を前記延長管に直ちに移動させるバイパス流路とを備え、前記サイクロン流路の中心軸は前記延長管の中心軸と平行であることを特徴とする真空掃除機のブラシ組立体。
【請求項２】
前記サイクロン流路の中心軸と前記延長管の中心軸は偏心されていることを特徴とする請求項１に記載の真空掃除機のブラシ組立体。
【請求項３】
前記サイクロン集塵ユニットは、
底面に前記バイパス流路と連通するバイパス空気流入口を備えるホコリ筒と、
前記ホコリ筒内に配置され、底面に前記サイクロン流路と連通するサイクロン空気流入口を備えるサイクロン筒と、
前記サイクロン筒の中心に設けられる保持軸と、
前記サイクロン筒と前記保持軸との間に設けられ、前記サイクロン筒内に流入される空気を上昇旋回させる旋回ガイド部材と、
前記ホコリ筒の上端に一端が分離自在に固定され、他端は前記真空掃除機の延長管に結合される空気排出管と、
を備えることを特徴とする請求項１に記載の真空掃除機のブラシ組立体。
【請求項４】
前記サイクロン集塵ユニットは、前記サイクロン筒の底面から延長形成され、前記サイクロン筒に流入される空気をガイドする入口ガイド部材をさらに備えることを特徴とする請求項３に記載の真空掃除機のブラシ組立体。
【請求項５】
前記サイクロン集塵ユニットは、前記ホコリ筒と前記空気排出管を連結する、あるいは分離する分離レバー部材をさらに備えることを特徴とする請求項３に記載の真空掃除機のブラシ組立体。
【請求項６】
前記サイクロン集塵ユニットは、前記ホコリ筒と前記サイクロン筒との間の空間をホコリ収容チャンバと前記バイパス流路に区画する１対の隔壁をさらに備えることを特徴とする請求項４に記載の真空掃除機のブラシ組立体。
【請求項７】
前記サイクロン集塵ユニットは、前記ホコリ収容チャンバに格納されたホコリを前記真空掃除機の本体に移動させるため、前記ホコリ収容チャンバに選択的に外気を流入させるホコリ排出ボタンをさらに備えることを特徴とする請求項６に記載の真空掃除機のブラシ組立体。
【請求項８】
前記空気排出管の底面には、下方向に延長されるホコリガイド部材が備えられることを特徴とする請求項７に記載の真空掃除機のブラシ組立体。
【請求項９】
外部から前記サイクロン集塵ユニットの内部を肉眼で確認できるよう、前記サイクロン集塵ユニットの少なくとも一部は透明に構成されることを特徴とする請求項１に記載の真空掃除機のブラシ組立体。
【請求項１０】
被掃除面のホコリを吸い込むためのケーシング部を備えるブラシユニットと、
一端が前記ブラシユニットと連結され、他側が真空掃除機の延長管と連結され、前記ブラシユニットから排出される空気を流入してホコリを分離し、浄化された空気を前記延長管に排出するサイクロン集塵ユニットと、を備え、
前記サイクロン集塵ユニットの中心軸は、前記延長管の中心軸と一直線上に位置し、
前記ケーシング部は、被掃除面と離隔して前方に浮遊している微細ホコリを吸い込むための複数の前方吸入口と、
を備えることを特徴とする真空掃除機のブラシ組立体。
【請求項１１】
前記ブラシユニットは、前記ケーシング部の前方底面に回動自在に設けられ、被掃除面にある髪の毛やペットの毛を掻き寄せるシャッター部材をさらに備えることを特徴とする請求項１０に記載の真空掃除機のブラシ組立体。
【請求項１２】
前記サイクロン集塵ユニットは、
底面の一側が貫通される空気流入口を備える外筒と、
前記空気流入口と連通するように前記外筒の内部に配置される内筒と、
前記内筒の中心に設けられる保持軸と、
前記内筒と前記保持軸との間に設けられ、前記内筒内に流入される空気を上昇旋回させる旋回ガイド部材と、
前記外筒の上端に結合される空気排出管と、
を備えることを特徴とする請求項１０に記載の真空掃除機のブラシ組立体。
【請求項１３】
前記外筒と前記内筒との間にホコリが格納されるホコリ収容チャンバが形成され、前記サイクロン集塵ユニットは、選択的に外気を流入させて前記ホコリ収容チャンバに格納されたホコリを真空掃除機の本体に移動させる開閉ノブをさらに備えることを特徴とする請求項１２に記載の真空掃除機のブラシ組立体。
【請求項１４】
前記外筒には外気流入孔が貫通形成され、前記開閉ノブは、前記外気流入孔を選択的に開閉するように前記ブラシユニットに回動自在に弾性保持されることを特徴とする請求項１３に記載の真空掃除機のブラシ組立体。
【請求項１５】
前記外筒の底面から下部に傾くように形成し、前記ブラシユニットから排出される空気を集めて前記空気流入口にガイドする傾斜ガイド部材を備えることを特徴とする請求項１２に記載の真空掃除機のブラシ組立体。
【請求項１６】
前記傾斜ガイド部材は、
前記保持軸の下端から下向き傾斜して形成される第１部分と、
前記第１部分の両側に延長され、所定の角度向い合う１対の第２部分と、
を備えることを特徴とする請求項１５に記載の真空掃除機のブラシ組立体。
【請求項１７】
前記サイクロン集塵ユニットの少なくとも一部は透明に構成され、外部から肉眼で確認できることを特徴とする請求項１０〜１６のいずれか一項に記載の真空掃除機のブラシ組立体。
【発明の詳細な説明】
【技術分野】
【０００１】
本発明は、サイクロン集塵装置が設けられた真空掃除機のブラシ組立体に関する。
【背景技術】
【０００２】
一般的にキャニスタ型の真空掃除機は、ブラシ組立体を介して掃除機のホコリを含む空気を吸い込み、延長管、フレキシブルホースを経て真空掃除機の本体に内装した集塵装置でホコリを分離した後、浄化された空気を真空掃除機の本体の外部に排出する装置である。
【０００３】
キャニスタ型の真空掃除機のうち、大韓民国特許公開第２００７−００８７３５７号には、ブラシ組立体と延長管組立体との間に補助集塵装置を設ける構造を開示している。かかる構造の真空掃除機は、ブラシ組立体を介して外気を吸い込み、補助集塵装置でホコリを１次的に分離した後、浄化された空気は延長管およびフレキシブルホースを経て真空掃除機の本体の集塵装置に流入され、２次的に微細ホコリが分離する構成である。
【０００４】
しかし、大韓民国公開特許２００７−００８７３５７号に開示される真空掃除機は、補助集塵装置が延長管に対して外側に突出するよう設けられているため、全体的なブラシ組立体の体積が増大し、狭い空間または複雑な構造の空間を掃除するときに不便である不都合があった。
【０００５】
また、補助集塵装置が延長管に対して直角に突出するよう設けられることから、ブラシ組立体に流入された外気が直角の方向に転換して補助集塵装置を経た後、また直角の方向に転換して延長管に移動する。このように外気の急激な方向転換は相当な圧力損失を誘発し、真空掃除機の全体的な掃除効率を低下させる問題となる。
【０００６】
また、被掃除面から離隔してブラシ組立体の前方に浮遊している微細ホコリの吸い込みができなかったため、掃除の効率性が落ちるという問題があった。
【０００７】
また、ドラムブラシだけが設けられているため、被掃除面にある髪の毛やペットの毛を効率よく集めることが力不足であった。
【先行技術文献】
【特許文献】
【０００８】
【特許文献１】大韓民国特許公開第２００７−００８７３５７号
【発明の概要】
【発明が解決しようとする課題】
【０００９】
本発明の目的は、前述のような従来における問題点を解決するために提案されたものであって、コンパクトでありながらもホコリの分離効率が向上し、圧力損失が減少された真空掃除機のブラシ組立体を提供することにある。
【課題を解決するための手段】
【００１０】
前述した目的を達成するための本発明のブラシ組立体は、被掃除面と接触されるケーシング部を備えるブラシユニットと、前記ブラシユニットに一端が連結され、他端が真空掃除機の延長管に連結されるサイクロン集塵ユニットと、を備え、前記サイクロン集塵ユニットは、前記ブラシユニットから排出される空気の一部を流入して前記空気中のホコリを遠心分離するサイクロン流路と、前記ブラシユニットから排出される残りの空気を前記延長管に直ちに移動させるバイパス流路とを備え、前記サイクロン流路の中心軸は前記延長管の中心軸と平行であることを特徴とする。
前記サイクロン流路の中心軸と前記延長管の中心軸は偏心されるよう構成してもよい。
前記サイクロン集塵ユニットは、底面に前記バイパス流路と連通するバイパス空気流入口を備えるホコリ筒と、前記ホコリ筒内に配置され、底面に前記サイクロン流路と連通するサイクロン空気流入口を備えるサイクロン筒と、前記サイクロン筒の中心に設けられる保持軸と、前記サイクロン筒と前記保持軸との間に設けられ、前記サイクロン筒内に流入される空気を上昇旋回させる旋回ガイド部材と、前記ホコリ筒の上端に一端が分離自在に固定され、他端は前記真空掃除機の延長管に結合される空気排出管と、を備えることができる。
前記サイクロン集塵ユニットは、前記サイクロン筒の底面から延長形成され、前記サイクロン筒に流入される空気をガイドする入口ガイド部材をさらに備えてもよい。
前記サイクロン集塵ユニットは、前記ホコリ筒と前記空気排出管を連結する、あるいは分離する分離レバー部材をさらに備えてもよい。
前記サイクロン集塵ユニットは、前記ホコリ筒と前記サイクロン筒との間の空間をホコリ収容チャンバと前記バイパス流路に区画する１対の隔壁をさらに備えてもよい。
【００１１】
前記サイクロン集塵ユニットは、前記ホコリ収容チャンバに格納されたホコリを前記真空掃除機の本体に移動させるため、前記ホコリ収容チャンバに選択的に外気を流入させるホコリ排出ボタンをさらに備えてもよい。
【００１２】
前記空気排出管の底面には、下方向に延長されるホコリガイド部材が備えられてもよい。
【００１３】
さらに、外部から前記サイクロン集塵ユニットの内部を肉眼で確認できるよう、前記サイクロン集塵ユニットの少なくとも一部は透明に構成されてもよい。
【００１４】
本発明の目的は、被掃除面のホコリを吸い込むためのケーシング部を備えるブラシユニットと、一端が前記ブラシユニットと連結され、他側が真空掃除機の延長管と連結され、前記ブラシユニットから排出される空気を流入してホコリを分離し、浄化された空気を前記延長管に排出するサイクロン集塵ユニットと、を備え、前記サイクロン集塵ユニットの中心軸は、前記延長管の中心軸と一直線上に位置し、前記ケーシング部は、被掃除面と離隔して前方に浮遊している微細ホコリを吸い込むための複数の前方吸入口と、を備えるブラシ組立体によっても達成される。
【００１５】
前記ブラシユニットは、前記ケーシング部の前方底面に回動自在に設けられ、被掃除面にある髪の毛やペットの毛を掻き寄せるシャッター部材をさらに備えるように構成してもよい。
【００１６】
前記サイクロン集塵ユニットは、底面の一側が貫通される空気流入口を備える外筒と、前記空気流入口と連通するように前記外筒の内部に配置される内筒と、前記内筒の中心に設けられる保持軸と、前記内筒と前記保持軸との間に設けられ、前記内筒内に流入される空気を上昇旋回させる旋回ガイド部材と、前記外筒の上端に結合される空気排出管と、を備えるように構成してもよい。
【００１７】
前記外筒と前記内筒との間にホコリが格納されるホコリ収容チャンバが形成され、前記サイクロン集塵ユニットは、選択的に外気を流入させて前記ホコリ収容チャンバに格納されたホコリを真空掃除機の本体に移動させる開閉ノブをさらに備えるように構成してもよい。
【００１８】
前記外筒には外気流入孔が貫通形成され、前記開閉ノブは、前記外気流入孔を選択的に開閉するように前記ブラシユニットに回動自在に弾性保持されるように構成してもよい。
【００１９】
前記外筒の底面から下部に傾くように形成し、前記ブラシユニットから排出される空気を集めて前記空気流入口にガイドする傾斜ガイド部材を備えるように構成してもよい。
【００２０】
前記傾斜ガイド部材は、前記保持軸の下端から下向き傾斜して形成される第１部分と、前記第１部分の両側に延長され、所定の角度向い合う１対の第２部分と、を備えるように構成してもよい。
【００２１】
前記サイクロン集塵ユニットの少なくとも一部は透明に構成され、外部から肉眼で確認できるように構成してもよい。
【発明の効果】
【００２２】
本発明によると、ホコリ筒の中心軸が延長管の中心軸と平行に設けられていることから、ブラシ組立体がコンパクトであり、狭くて複雑な構造の空間を容易に掃除することができる。
【００２３】
本発明は、サイクロン流路の中心軸が延長管の中心軸と平行でありながら偏心されるよう構成することによって、バイパス流路に対する設計の自由度を高めることができる。
【００２４】
本発明は、サイクロン流路およびバイパス流路を通る空気流動に急激な方向転換なく順方向に進むことによって、空気流動の変化による圧力損失を極めて減らすことができる。
【００２５】
本発明は、ブラシユニットから排出される空気の一部はサイクロン流路を経て延長管に移動し、残りの空気はサイクロン流路を介することなく直ちにバイパス流路を経て延長管に移動するため、ホコリの分離効率を高め、かつ圧力損失は減らすことができる効果がある。
【００２６】
本発明のブラシ組立体は、サイクロン集塵ユニットが真空掃除機の延長管と同一の中心軸になるよう配置されているため、ブラシ組立体がコンパクトであるだけでなく、上部ケーシングの前面に前方吸入口が形成され、被掃除面から離隔して浮遊している微細ホコリに至るまで吸い込むことができることから、掃除効率の向上を図る効果がある。
【００２７】
また、シャッター部材によって被掃除面の髪の毛やペットの毛を集めて吸い込むことができるため、掃除効率の向上を図る効果がある。
【００２８】
また、傾斜ガイド部材が外筒の底面に形成され、空気流入口側に空気をガイドすることから、サイクロン集塵ユニットにおける集塵効率を向上させる効果がある。
【００２９】
また、外筒が透明な材質からなり、ホコリ収容チャンバに収容されるホコリを外部から肉眼に確認することができるため、ユーザが掃除状態の確認ができることによって満足感を感じるという効果がある。
【図面の簡単な説明】
【００３０】
【図１】本発明の第１実施形態に係るブラシ組立体が延長管と連結された状態を示す斜視図である。
【図２】図１のブラシ組立体の分離斜視図である。
【図３】図１においてホコリ排出ボタンによって外気流入孔が閉じられた状態を示す断面図である。
【図４】図１においてホコリ排出ボタンによって外気流入孔が開放された状態を示す断面図である。
【図５】図１のサイクロン集塵ユニットを正面から見た斜視図である。
【図６】図５に表示されたＶＩ−ＶＩ線に沿って示す断面図である。
【図７】図１のサイクロン集塵空気排出管と分離レバー部材を示す斜視図である。
【図８】本発明の第２実施形態に係る真空掃除機のブラシ組立体の斜視図である。
【図９】図８のブラシ組立体を底面から見た斜視図である。
【図１０】図８のブラシ組立体の一部を分解した分解斜視図である。
【図１１】図８においてブラシ組立体の上部ケーシングを取り除いた平面図である。
【図１２】図８に示すシャッター部材を示す斜視図である。
【図１３】図８のブラシ組立体が後進した場合、シャッター部材の状態を示す図である。
【図１４】図８のブラシ組立体が前進した場合、シャッター部材の状態を示す図である。
【図１５】図８のブラシ組立体で開閉ノブを取り除いた状態のサイクロン集塵ユニットを示す斜視図である。
【図１６】図８のブラシ組立体で開閉ノブによって外気流入孔が閉じられた状態を示す断面図である。
【図１７】図８のブラシ組立体で開閉ノブによって外気流入孔が開放された状態を示す断面図である。
【発明を実施するための形態】
【００３１】
以下、図１〜図７を参照して、本発明の第１実施形態に係るブラシ組立体１０を説明する。
【００３２】
図１〜図４に示すように、本発明の第１実施形態に係るブラシ組立体１０は、ブラシユニット１００およびサイクロン集塵ユニット２００を備える。
【００３３】
ブラシユニット１００は、被掃除面から空気を吸い込むためのものであって、ケーシング部１１０、ネック部１２０、ドラムブラシ１３０、タービンファン１４０を備える。
【００３４】
ケーシング部１１０は、上部ケーシング１１１および下部ケーシング１１２を備える。これらの上部および下部ケーシング１１１、１１２は互いに結合されてケーシング部１１０の内部空間を形成する。
【００３５】
下部ケーシング１１２の開放された底面には複数のリブ１１３が設けられ、複数の底吸入口１１４が形成される。このような底吸入口１１４を介して被掃除面上のホコリを含む空気がケーシング部１１０の内部空間に吸入される。
【００３６】
ネック部１２０は、ケーシング部１１０の内部空間に吸入されたホコリを含む空気を集めて後流側に排出するためのものであって、ケーシング部１１０の後方に結合される。図２に示すように、ネック部１２０の一面には段差づけられた溝１２２が形成され、溝１２２の両側には回転軸孔１２４が１対形成される。
【００３７】
ドラムブラシ１３０は、ケーシング部１１０の内部空間に回転自在に設けられて被掃除面のホコリを払って分離させる。ドラムブラシ１３０は、ケーシング部１１０の両側に回転自在に設けられる円筒状のドラムブラシ胴体１３１と、ドラムブラシ胴体１３１の外周面に形成された複数のブラシ１３３を備える。このような複数のブラシ１３３の一端は回転しながら底吸入口１１４を介して被掃除面に接触される。これによって、ドラムブラシ胴体１３１が回転される場合、複数のブラシ１３３が被掃除面を打撃して被掃除面にくっついたホコリを容易に分離する。
【００３８】
タービンファン１４０は、ケーシング部１１０の内部空間に設けられ、ドラムブラシ１３０の後流側にドラムブラシ１３０と一定の距離離隔して配置され、ケーシング部１１０の内部空間に吸入された空気によって回転されるよう設けられる。
【００３９】
タービンファン１４０およびドラムブラシ１３０は、ベルト（図示せず）によって連結され、タービンファン１４０と連動してドラムブラシ１３０が回転される。この場合、タービンファン１４０の回転軸にプーリー（図示せず）が設けられ、ベルト（図示せず）がプーリー（図示せず）とドラムブラシ胴体１３１を取り囲むように構成してもよい。
【００４０】
サイクロン集塵ユニット２００は、一側がネック部１２０の後端と連結されるように設けられ、他側は真空掃除機の延長管（Ｐ）に連結される。本発明の実施形態に係るサイクロン集塵ユニット２００は、ネック部１２０を介して排出される外気の一部のみを流入してホコリをフィルタリングし、浄化された空気を延長管（Ｐ）に排出し、ネック部１２０を介して排出される残りの空気は直ちに延長管（Ｐ）に排出する構造を有する。
【００４１】
サイクロン集塵ユニット２００は、ホコリ筒２１０、サイクロン筒２２０、保持軸２３０、旋回ガイド部材２４０、空気排出管２５０、入口ガイド部材２６０、ホコリ排出ボタン２７０、および分離レバー部材２８０を備える。
【００４２】
図２、図３、および図６に示すように、ホコリ筒２１０は透明な材質であり、円筒形状からなる。ホコリ筒２１０の上部は全体が開放され、下部は一部だけが開放された形状であって、下面一部は低板２１２が形成されて密閉され、残り一部は開放されてバイパス空気流入口２１４が形成される。ホコリ筒２１０の下部はネック部１２０と結合され、他側は空気排出管２５０が分離自在に結合される。ホコリ筒２１０の下部外面の一側には外気流入孔２１５が貫通形成され、上部の外周面には螺糸山２１８が形成される。
【００４３】
サイクロン筒２２０は上部が開放した形状を有し、ホコリ筒２１０の内部に設けられる。サイクロン筒２２０の底面にはサイクロン空気流入口２２２が形成され、ネック部１２０を介して排出される空気がサイクロン空気流入口２２２を介してサイクロン筒２２０の内部に流入される。サイクロン筒２２０の中心軸（ｘ２）は、ホコリ筒２１０の中心軸に平行して偏心に配置され、ホコリ筒２１０の高さよりも短い長さを有する。
【００４４】
サイクロン筒２２０は、内部にはサイクロン空気流入口２２２を介して流入される空気が旋回ガイド部材２４０によって旋回気流、すなわち、サイクロン流路（ｆ１）が形成される。サイクロン流路（ｆ１）の中心軸は、サイクロン筒２２０の中心軸と同一軸（ｘ１）を有する。
【００４５】
図２、図５、図６に示すように、サイクロン筒２２０とホコリ筒２１０との間には長手方向に沿って１対の隔壁２２５が設けられ、サイクロン筒２２０とホコリ筒２１０との間を２つの空間に区画する。ホコリ筒２１０の低板２１２が形成された部分には、サイクロン筒２２０とホコリ筒２１０との間にホコリ収容チャンバ（Ｃ１）が形成され、低板２１２が形成されない部分にバイパス流路（ｆ２）が形成される。このとき、サイクロン筒２２０の中心軸（ｘ１）は、ホコリ筒２１０の中心軸と平行に多少偏心されるため、ホコリ収容チャンバ（Ｃ１）の幅がバイパス流路（ｆ２）の幅よりも小さく形成される。
【００４６】
保持軸２３０は、棒状にサイクロン筒２２０の中心に設けられ、サイクロン筒２２０の高さよりも短い長さを有するよう設けられる。
【００４７】
旋回ガイド部材２４０は、螺旋状の板がサイクロン筒２２０と保持軸２３０との間を連結するように設けられ、サイクロン筒２２０内に流入されたホコリを含む空気を上昇に旋回させる。
【００４８】
図２〜図７に示すように、空気排出管２５０は円筒状に構成され、一側は分離レバー部材２８０によってホコリ筒２１０の開放された上部に着脱自在に固定され、他側は真空掃除機の延長管（Ｐ）に連結される。空気排出管２５０の下面中央には円筒状のサイクロン出口２５１が設けられ、空気排出管２５０の底面の一側にはサイクロン出口２５１と離隔してバイパス空気出口２５３が貫通形成される。したがって、サイクロン流路（ｆ１）から排出される浄化された空気は、サイクロン出口２５１に流入されて空気排出管２５０を介して延長管（Ｐ）に排出し、バイパス流路（ｆ２）から排出される空気はバイパス空気出口２５３を介して空気排出管２５０に流入された後、延長管（Ｐ）に排出する。
【００４９】
空気排出管２５０の中心軸は、延長管（Ｐ）の中心軸と同一軸（ｘ２）をなし、サイクロン筒２２０の中心軸、すなわち、サイクロン流路（ｆ１）の中心軸（ｘ１）と平行に多少偏心されるように配置される。
【００５０】
サイクロン集塵ユニット２００の外形を形成するホコリ筒２１０、空気排出管２５０、および延長管（Ｐ）の中心軸は平行に偏心されている。したがって、バイパス流路（ｆ２）のサイズを自由かつ最適のサイズに設計することができ、順方向の空気流動により空気流動が急激に折れずに済む。また、サイクロン集塵ユニット２００は、延長管（Ｐ）の外側に突出することなく、ブラシユニット１００と延長管（Ｐ）を連結する円筒状に延長管と平行に配置されることから、ブラシ組立体１０の体積がコンパクトになり、ユーザが狭くて複雑な空間の掃除をさらに便利に行うことができる。
【００５１】
空気排出管２５０の底面両側には１対の流線形ホコリガイド部材２５５が対称して下方向に延長形成され、ホコリをガイドするだけでなく、空気排出管２５０とホコリ筒２１０との間の結合をガイドする。ホコリガイド部材２５５は、図５および図７に示すように、ホコリ筒の内面と接触する一面は直線状であるが、ホコリをガイドする他面は流線形に形成されているため、ホコリが停滞することなくサイクロン出口２５１から円滑に排出される。すなわち、ホコリ収容チャンバ（Ｃ１）からサイクロン出口２５１に移動するホコリの移動流路はホコリガイド部材２５５によって流線形になり、格納されたホコリの排出時にホコリの停滞区間なしで排出させることができる。
【００５２】
空気排出管２５０の底面には遮断板２５７が形成される。遮断板２５７は、サイクロン筒２２０の直径と同一の半円形の第１部分２５７ａ、および第１部分２５７ａの両側端から外側に延長される第２部分２５７ｂを備える。
【００５３】
入口ガイド部材２６０は、サイクロン空気流入口２２２の一部を取り囲み、サイクロン空気流入口２２２とバイパス空気流入口２１４とを区分するようにサイクロン筒２２０の底面から下方向に延長形成される。ネック部１２０を介して排出される空気の一部は、入口ガイド部材２６０によってサイクロン空気流入口２２２にガイドされる。
【００５４】
ホコリ排出ボタン２７０は、ホコリ筒２１０に形成される外気流入孔２１５を選択的に開閉するためのものであって、ネック部１２０に形成された回転軸孔１２４に回動自在に設けられる。
【００５５】
ホコリ排出ボタン２７０は、外気流入孔２１５を密閉する開閉部２７２、および開閉部２７２の後側に延長形成される押し部２７４を備える。ホコリ排出ボタン２７０の両側には回動軸２７８が形成され、ネック部１２０に形成された回転軸孔１２４に挿入される。押し部２７４は、ネック部１２０に形成された溝１２２に安着されるように配置され、開閉部２７２は、ネック部１２０の後端から突き出し、外気流入孔２１５を覆うように配置される。
【００５６】
回転軸孔１２４と回転軸２７８との間には１対のバネ（図示せず）が設けられ、ホコリ排出ボタン２７０を押した後、外力を取り除けばバネ（図示せず）によってホコリ排出ボタン２７０が元の位置に復帰するように構成してもよい。
【００５７】
分離レバー部材２８０は、空気排出管２５０がホコリ筒２１０に分離または固定させ、空気排出管２５０に回転自在に設けられる。分離レバー部材２８０の下部内面にはホコリ筒２１０の螺糸山２１８と結合するように内週面に沿って１対の結合リブ２８２が延長形成される（図７参照）。
【００５８】
したがって、空気排出管２５０の位置を整列した後、分離レバー部材２８０を一方向（時計回り）に回転すれば、結合リブ２８２が螺糸山２１８と結合し、空気排出管２５０がホコリ筒２１０に固定することができる。
【００５９】
すなわち、空気排出管２５０のホコリガイド部材２５５と遮断板２５７をホコリ筒２１０の内部に挿入すれば、ホコリガイド部材２５５がホコリ収容チャンバ（Ｃ１）内に収容され、遮断板２５７の第１部分２５７ａはサイクロン筒２２０の上面と連結され、遮断板２５７の第２部分２５７ｂは隔壁２２５の上面と連結される。すなわち、ホコリガイド部材２５５と遮断板２５７によって空気排出管２５０のホコリ筒２１０内の位置が整列され、その後、分離レバー部材２８０を回転して空気排出管２５０をホコリ筒２１０に固定させることができる。また、遮断板２５７がサイクロン筒２２０の上面および隔壁２２５の上面と連結され、ホコリ筒２１０の上部でサイクロン流路（ｆ１）とバイパス流路（ｆ２）が隔離される。
【００６０】
以下、図３〜図５に示すように、本発明の第１実施形態に係る真空掃除機のブラシ組立体１０の作用について説明する。
【００６１】
参考までに、図３は外気流入孔２１５が閉じられた状態を示すブラシ組立体１０の断面図であり、図４はホコリ排出ボタン２７０によって外気流入孔２１５が開放された状態を示すブラシ組立体１０の断面である。
【００６２】
図３に示すように、ホコリ排出ボタン２７０の開閉部２７２が外気流入孔２１５を閉じている状態で、底吸入口１１４を介して被掃除面からホコリを含む空気がケーシング１１０の内部空間に流入される。
【００６３】
ケーシング部１１０の内部空間に流入された空気はネック部１２０を介して排出される。ネック部１２０から排出される空気の一部は、入口ガイド部材２６０によってサイクロン空気流入口２２２にガイドされた後、サイクロン筒２２０内に流入される。サイクロン筒２２０の内部に流入された空気は旋回ガイド部材２４０によってガイドされて旋回気流が発生し、この旋回気流によって空気の中に含まれたホコリが遠心分離される。すなわち、サイクロン筒２２０内に形成されたサイクロン流路（ｆ１）によってホコリと空気とが分離する。
【００６４】
分離したホコリはホコリ収容チャンバ（Ｃ１）に格納され、浄化された空気はサイクロン出口２５１を介して空気排出管２５０を経て延長管（Ｐ）に排出される。
【００６５】
ネック部１２０から排出される残りの空気は、バイパス空気流入口２１４を介してバイパス流路（ｆ２）に流入された後、直ちに、バイパス出口２５３を介して空気排出管２５０を経て延長管（Ｐ）に排出される。
【００６６】
このように延長管（Ｐ）に排出された空気は、フレキシブルホース（図示せず）を介して真空掃除機の本体（図示せず）に内装された集塵装置（図示せず）に吸入されて２次的に微細ホコリが分離された後、真空掃除機の本体の外部に排出される。
【００６７】
本発明の実施形態のサイクロン集塵ユニット２００は、図３に示すように、開閉部２７２が外気流入孔２１５を閉じている状態ではサイクロン筒２２０内のサイクロン流路に形成された旋回気流（ｆ１）から分離されたホコリがホコリ収容チャンバ（Ｃ１）に格納され、ユーザが透明なホコリ筒２１０を介してホコリ収容チャンバ（Ｃ１）に格納されたホコリを確認することができる。したがって、分離されたホコリを肉眼で観察しながら掃除が行われた状態を確認することができることにより、満足感を感じ得る。
【００６８】
本発明の実施形態に係るブラシ組立体１０は、ネック部１２０から排出される空気の一部のみがサイクロン流路（ｆ１）を経て浄化された後、延長管（Ｐ）に排出されるため、圧力損失が減ることで全体的な真空掃除機の掃除効率が増加する。
【００６９】
本発明の実施形態に係るブラシ組立体１０は、サイクロン筒２２０の直径に応じてサイクロン筒２２０内に流入される吸入流量の割合を調整することができ、実験によってサイクロン筒２２０の直径に応じる吸入流量の割合およびホコリの分離効率に対する実験を実施して表１のような結果を獲得した。表１に示すように、ネック部１２０を介して排出される空気中、サイクロン筒２２０内に流入される空気量はサイクロン筒２２０の直径が大きくなるにつれて吸入流量の割合が増加し、ホコリの分離効率も増加することが分かる。また、同じ直径のサイクロン筒２２０において入口ガイド部材２６０の設置可否に応じて吸入流量の割合およびホコリの分離効率が増加することが分かる。
【００７０】
【表１】
2011156345.tif 000003
本発明の実施形態に係るブラシ組立体１０は、サイクロン流路（ｆ１）の中心軸（ｘ１）が延長管（Ｐ）の中心軸（ｘ２）と平行に偏心され、ネック部１２０を介して排出される空気の一部がサイクロン筒２２０の下部のサイクロン空気流入口２２２に流入され、サイクロン筒２２２の中心軸、すなわち、サイクロン流路部（ｆ１）の中心軸（ｘ１）に対して上昇する旋回気流が形成されてホコリが分離された後、サイクロン筒２２０の上部に配置するサイクロン出口２５１を経て空気排出管２５０を介した後、延長管（Ｐ）に排出される。すなわち、本発明の実施形態に係るブラシ組立体１０は、サイクロン流路（ｆ１）の空気の進行方向がネック部１２０から排出される空気の進行方向に対して急激な方向転換することなく順方向に進み、サイクロン流路（ｆ１）からサイクロン出口２５１に排出される空気の進行方向が急激な方向転換することなく延長管（Ｐ）に向く方向であるため、圧力損失を減らすことができると共に、全体的な掃除効率の向上が図れる。
【００７１】
一方、本発明はホコリ収容チャンバ（Ｃ１）に一定量のホコリが格納され、ホコリ収容チャンバ（Ｃ１）に格納されたホコリをサイクロン集塵ユニット２００の下流、すなわち、真空掃除機の本体（図示せず）に排出してもよい。ユーザがホコリ排出ボタン２７０の押し部２７４を押せば、図４に示すように、ホコリ排出ボタン２７０の開閉部２７２が回動して開閉部２７２が外気流入孔２１５から離隔して、外気流入孔２１５が開放される。
【００７２】
外気流入孔２１５を介してホコリ収容チャンバ（Ｃ１）に流入された空気は、サイクロン出口２５１を介して空気排出管２５０に流動される。この流動によってホコリ収容チャンバ（Ｃ１）に格納されたホコリがサイクロン出口２５１を介して空気排出管２５０に排出された後、延長管（Ｐ）を経て真空掃除機の本体内の集塵装置（図示せず）に移動する。このとき、図５に示すように、空気排出管２５０の底面に形成された流線形のホコリガイド部材２５５によってホコリ収容チャンバ（Ｃ１）から空気排出管２５０に移動するホコリが急激な方向転換を行わず、流線形の移動方向に沿って流動することから、ホコリの流動損失が減少される。すなわち、ホコリガイド部材２５５がない場合、ホコリ収容チャンバ（Ｃ１）から空気排出管２５０のサイクロン出口２５１に移動するホコリは直角に方向変換される流動によって、ホコリの一部がサイクロン出口２５１を介して空気排出管２５０に移動せず、ホコリ筒２１０内に残ることになるが、ホコリガイド部材２５５がある場合、ホコリが流線形のホコリガイド部材２５５にガイドされ、流線形の流動を見せることから、ホコリがホコリ筒２１０内に残らずにすべてサイクロン出口２５１を介して空気排出管２５０へ移動される。
【００７３】
このようにユーザがホコリ排出ボタン２７０を操作することによって、選択的に格納されたホコリを払うことができ、ホコリ収容チャンバ（Ｃ１）に格納されたホコリが払われる過程を透明なホコリ筒２１０を介して肉眼で確認することができる。
【００７４】
本発明の実施形態に係るブラシ組立体１０は、分離レバー部材２８０を反時計回りに回転させて空気排出管２５０をホコリ筒２１０から分離した後、ホコリ筒２１０のホコリ収容チャンバ（Ｃ１）に格納されたホコリを開放された上部を通して払うことができる。
【００７５】
ホコリを払うことが完了すれば、空気排出管２５０の底面に形成されたホコリガイド部材２５５をホコリ筒２１０に挟んで位置を整列した後、分離レバー部材２８０を時計回りに回転させれば空気排出管２５０がホコリ筒２１０に固定されるようになる。
【００７６】
以下、図面を参照して本発明の第２実施形態に係るサイクロン集塵ユニットを備えたブラシ組立体５０について説明する。
【００７７】
図８に示すように、第２実施形態に係るサイクロン集塵ユニットを備えたブラシ組立体５０は、ブラシユニット５００およびサイクロン集塵ユニット６００を備える。
【００７８】
ブラシユニット５００は、図８〜図１１に示すように、被掃除面から空気を吸い込むためのものであって、ケーシング部５１０、ネック部５３０、ドラムブラシ５５０、タービンファン５６０、シャッター部材５８０を備える。
【００７９】
ケーシング部５１０は、上部ケーシング５１１と下部ケーシング５１２を備える。これらの上部および下部ケーシング５１１、５１２は互いに結合されてケーシング部５１０の内部空間を形成する。下部ケーシング５１２の開放された底面には複数のリブ５１３が設けられて複数の底面吸入口５１４が形成される。このような底面吸入口５１４を介して被掃除面上のホコリを含む空気がケーシング部５１０の内部空間に吸入される。
【００８０】
上部ケーシング５１１の前面には複数の前方吸入口５１５が形成される。前方吸入口５１５は、上部ケーシング５１１の長手方向の中央に４個が形成され、縁に各４個が形成される。このような複数の前方吸入口５１５を介して被掃除面から離隔して浮遊している微細ホコリが吸入される。
【００８１】
ネック部５３０は、ケーシング部５１０の内部空間に吸入されたホコリを含む空気を集めて後流側に排出するためのものであって、ケーシング部５１０の後方に結合される。図１０に示すように、ネック部５３０の一面には段差づけられた溝５３２が形成され、溝５３２の両側には回転軸孔５３４の１対が形成される。
【００８２】
ドラムブラシ５５０は、ケーシング５１０の内部空間に回転自在に設けられる。
【００８３】
図１１に示すように、ドラムブラシ５５０は、円筒状のドラムブラシ胴体５５１を備え、ドラムブラシ胴体５５１の外周面には複数のブラシ５５２が植毛されている。このような複数のブラシ５５２の一端は回転しながら底面吸入口５１４を介して被掃除面に接触される。これによって、ドラムブラシ胴体５５１が回転される場合、複数のブラシ５５２によって被掃除面に打撃が加えられ、被掃除面にくっついたホコリを容易に分離することができる。
【００８４】
タービンファン５６０はケーシング部５１０の内部空間に設けられ、ドラムブラシ５５０に対して後流側から一定の距離離隔して配置され、ケーシング部５１０の内部空間に吸入された空気によって回転されるべく設けられる。このようなタービンファン５６０の回転は、タービンファン５６０とドラムブラシ５５０との間に設けられたベルト部材５７０によってドラムブラシ５５０に伝達される。
【００８５】
シャッター部材５８０は、図９および図１２に示すように、回動胴体５８１と、略長方形のシャッター板５８３と、シャッター板５８３の両側端に設けられる１対の傾斜片５８５を備える。
【００８６】
回動胴体５８１は、下部ケーシング５１２にヒンジ結合される軸部材５８４に結合されて軸部材５８４と一体に回転される。
【００８７】
シャッター板５８３は、回動胴体５８１の外周面から延長形成され、互いに離隔して形成される複数の遮断部５８３ａと、遮断部５８３ａの両側に回動胴体５８１の外周面から延長形成される両側端部５８３ｂを備える。複数の遮断部５８３ａの間には複数の空気流入溝５８３ｃが形成される。遮断部５８３ａは、両側端部５８３ｂよりも多少短い長さを有するよう構成される。したがって、シャッター板５８３は、回動胴体５８１の回動に連動して下部ケーシング５１２でヒンジ回動し、その回動軸はドラムブラシ５５０の回転軸と平行に配置される。
【００８８】
傾斜片５８５は、シャッター板５８３の両側端部５８３ｂにそれぞれ設けられ、各傾斜片５８５の一端は回動胴体５８１に固定結合されている。傾斜片５８５の幅はシャッター板５８３の両側端部５８３ｂの幅と同一の長さを有するように備えられる。傾斜片５８５は、シャッター板５８３に対して一定の角度を有するように配置される。シャッター板５８３の両側端部５８３ｂと傾斜片５８５との間にはシャッター部材５８０の回動が円滑に行われることができるようにガイドする補助傾斜片５８８が備えられる。このような補助傾斜片５８８は、傾斜片５８５と同様に一端で被掃除面と接触されることができるよう備えられる。
【００８９】
このように、シャッター部材５８０は、回動胴体５８１、シャッター板５８３および傾斜片５８５を備えることによって、ケーシング部５１０の下部ケーシング５１２と被掃除面との間に形成される空気流入口の面積を調整することができる。
【００９０】
ユーザがケーシング部５１０を後進させる場合には、シャッター板５８３が時計回りに回動し、図１３に示すように、シャッター板５８３の両側端部５８３ｂが被掃除面と接触されてシャッター板５８３が被掃除面に対して直立の状態となり、被掃除面上にある髪の毛やペットの毛を掻き寄せることができる。シャッター板５８３が直立状態である時は、下部ケーシング５１２と被掃除面との間の間隔が最も狭められた状態になる。したがって、空気流入口を介してケーシング部５１０の内部空間に流入される空気量は減少される一方、底面吸入口５１４を介して被掃除面上に加えられる真空圧は増加することになる。
【００９１】
一方、ユーザがケーシング部５１０を前進させる場合には、シャッター板５８３が反時計回りに回動し、図１４に示すように、シャッター部材５８０の傾斜片５８５が被掃除面と接触して直立状態となる。シャッター板５８３の遮断部５８３ａは、被掃除面との隔離距離がさらに離隔されるように被掃除面に対して一定の傾斜を有するよう配置され、これにより下部ケーシング５１２と被掃除面との間の間隔は最大になる。したがって、空気流入口を介してケーシング部５１０の内部空間に流入される空気量は増加し、ケーシング部５１０の後進時にシャッター板５８３によって集められた固まり形態の髪の毛やペットの毛が底面吸入口５１４に容易に吸入されることができる。
【００９２】
サイクロン集塵ユニット６００は、ネック部５３０の後端と連結されるように設けられ、ケーシング部５１０の内部空間からネック部５３０を介して排出されるホコリを含む空気を流入してホコリを分離し、浄化された空気を排出するためのものである。
【００９３】
図８、図１０、図１５、および図１６に示すように、サイクロン集塵ユニット６００は、外筒６１０、内筒６２０、保持軸６３０、旋回ガイド部材６４０、空気排出管６５０、傾斜ガイド部材６６０、開閉ノブ６７０を備える。
【００９４】
外筒６１０は、上部が開放された円筒状に透明な材質からなり、ネック部５３０および空気排出管６５０と連結される。外筒６１０の底面には空気流入口６１７が貫通形成され、外筒６１０の下部外面には外気流入孔６１５が貫通形成される。
【００９５】
内筒６２０は上部が開放された円筒状であって、外筒６１０の内部に設けられる。内筒６２０は、外筒６１０と同一の中心軸を有するよう配置され、外筒６１０の高さよりも短い長さを有する。内筒６２０の底面一部は切開されて内筒６２０の内部と外筒６１０の空気流入口６１７が連通される。内筒６２０と外筒６１０との間には分離されたホコリが収容されるホコリ収容チャンバＣ１’が形成される。
【００９６】
保持軸６３０は棒状であり、内筒６２０の中心軸に内筒６２０の高さよりも短い長さを有するように設けられる。
【００９７】
旋回ガイド部材６４０は、螺旋状の板が内筒６２０と保持軸６３０との間を連結するように設けられ、内筒６２０に流入されたホコリを含む空気を上昇旋回させる。
【００９８】
空気排出管６５０は漏斗状に形成され、ホコリが分離された浄化された空気を排出するためのものであって、開放された外筒６１０の上部に連結される。空気排出管６５０の中心軸は外筒６１０の中心軸と一致する。空気排出管６５０は、外筒６１０の上部と連結される下広上狭の傾斜部６５１と、傾斜部６５１から延長形成される円筒部６５３からなる。円筒部６５３は、通常の真空掃除機に使用される延長管（図示せず）に連結される。空気排出管６５０の中心軸は延長管（図示せず）の中心軸と同一の中心軸を有するように配置される。空気排出管６５０は、円筒部６５３の端部から傾斜部６５１の内部に向いて細くなるよう延長されるホコリ流出防止部材６５５が形成される。
【００９９】
本発明の実施形態のサイクロン集塵ユニット６００の中心軸は、延長管（図示せず）の中心軸と同一であり、サイクロン集塵ユニット６００が延長管（図示せず）の外側に突出せずにブラシユニット５００と延長管（図示せず）を連結するパイプ状に形成されることによって、ブラシ組立体５０の体積がコンパクトになり、ユーザがブラシ組立体５０を使用するとき便利に使用することができる。
【０１００】
傾斜ガイド部材６６０は、ネック部５３０を介して排出される空気を集めて外筒６１０の底面に形成された空気流入口６１７に誘導するためのものであって、外筒６１０がネック部５３０と結合すれば、ネック部５３０の内部に挿入されるように配置される。傾斜ガイド部材６６０は、外筒６１０の底面から傾くように形成し、外筒６１０の底面中心から下向き傾斜されるように形成された第１部分６６１と、該第１部分６６１の両側から延長されるよう外筒６１０の底面から下向き傾斜されるように設けられた第２部分６６３、６６５から構成してもよい。
【０１０１】
第１部分６６１と１対の第２部分６６３、６６５は、第１部分６６１を中心に所定の角度向かい合って形成され、ネック部５３０から排出される空気が傾斜ガイド部材６６０の第２部分６６３、６６５によって集められる。
【０１０２】
第１部分６６１および第２部分６６３、６６５が外筒６１０の底面に対して傾くように形成され、ネック部５３０から排出される空気が空気の進行方向と直角に向い合う外筒６１０の底面にぶつからずに円滑にガイドされて空気流入口６１７にガイドされる。
【０１０３】
図１０および図１６に示すように、開閉ノブ６７０は、外筒６１０に形成された外気流入孔６１５を選択的に開閉するためのものであって、ネック部５３０に形成された回転軸孔５３４に回動自在に設けられる。
【０１０４】
このために、開閉ノブ６７０は、外気流入孔６１５を密閉する開閉部６７２と、開閉部６７２の後側に形成される押し部６７４を備える。開閉ノブ６７０の両側には回動軸６７８が形成され、ネック部５３０に形成された回転軸孔５３４に挿入されて回動自在に設けられる。押し部６７４は、ネック部５３０に形成された溝５３２に安着されるように配置され、開閉部６７２は、ネック部５３０の後端部から突き出し、外気流入孔６１５を覆うように配置される。回転軸孔５３４と回動軸６７８との間には１対のバネ６７６が備えられる。したがって、開閉ノブ６７０を押した後に外力を取り除けば、バネ６７６によって開閉ノブ６７０が元の位置に復帰する。
【０１０５】
以下、図１６および図１７を参考して第２実施形態に係るブラシ組立体５０の作動について説明する。
【０１０６】
図１６は開閉ノブ６７０によって外気流入孔６１５が閉じられた状態を示すブラシ組立体５０の断面図であり、図１７は開閉ノブ６７０によって外気流入孔６１５が開放された状態を示すブラシ組立体５０の断面図である。
【０１０７】
同図に示すように、開閉ノブ６７０の開閉部６７２が外気流入孔６１５を閉じている状態で、底面吸入口５１４を介して被掃除面からホコリを含む空気がケーシング部５１０の内部空間に流入され、前方吸入口５１５を介して被掃除面から離れてケーシング部５１０の前方に浮遊しているホコリを含む空気がケーシング部５１０の内部空間に流入される。
【０１０８】
ケーシング部５１０の内部空間に流入された空気は、ネック部５３０を介して排出され、傾斜ガイド部材６６０によって空気流入口６１７にガイドされた後内筒６２０の内部に流入される。内筒６２０の内部に流入された空気は、旋回ガイド部材６４０によってガイドされて旋回気流が形成され、この旋回気流によって空気中に含まれたホコリが遠心分離される。遠心分離されたホコリはホコリ収容チャンバＣ１’に格納され、浄化された空気は空気排出管６５０を介して排出され、空気排出管６５０と連結された延長管（図示せず）を経た後、フレキシブルホース（図示せず）を介して真空掃除機の本体（図示せず）に内装された集塵装置（図示せず）に吸入されて２次的に微細ホコリが分離された後、真空掃除機の本体の外部に排出される。
【０１０９】
同図に示すように、開閉部６７２が外気流入孔６１５を閉じている状態では内筒６２０の内部で発生する旋回気流から分離されたホコリがホコリ収容チャンバＣ１’に格納される。
【０１１０】
ユーザは透明な外筒６１０を介してホコリ収容チャンバＣ１’に格納されたホコリを確認することができるため、分離されたホコリを肉眼で観察しながら掃除が行われる状態を確認することができ、満足感を感じ得る。
【０１１１】
また、本発明の実施形態に係るブラシ組立体５０は、上部ケーシング５１１の前面に前方吸入口が５１５が形成され、被掃除面上から離れて浮遊している微細ホコリを吸い込み、サイクロン集塵ユニット６００で微細ホコリを分離することができることから掃除効率がさらに向上される。
【０１１２】
また、シャッター部材５８０によって被掃除面上の髪の毛やペットの毛を掻き集めてサイクロン集塵ユニット６００で分離することができるため、掃除効率がさらに向上される。
【０１１３】
ホコリ収容チャンバＣ１’に一定量のホコリが格納され、ホコリ収容チャンバＣ１’に格納されたホコリをサイクロン集塵ユニット置６００の下流、すなわち、真空掃除機の本体（図示せず）に排出するためにユーザが開閉ノブ６７０の押し部２７４を押せば、図１０に示すように、開閉ノブ６７０が回動して開閉部６７２が外気流入孔６１５から離隔し、外気流入孔６１５が開放される。
【０１１４】
外気流入孔６１５に外気が流入されれば、流入された外気が空気排出管６５０に流動するようになり、この流動によってホコリ収容チャンバＣ１’に格納されたホコリが空気排出管６５０を通して排出され、延長管（図示せず）を介して真空掃除機の本体内の集塵装置（図示せず）に移動することになる。
【０１１５】
このように、ユーザは、開閉ノブ６７０を操作することによって選択的に格納されたホコリを払うことができ、ホコリ収容チャンバＣ１’に格納されたホコリの払われる過程が肉眼で確認できる。
【符号の説明】
【０１１６】
１００、５００  ブラシユニット
１１０、５１０  ケーシング部
１１４  底吸入口
１３０、５５０  ドラムブラシ
１４０、５６０  タービンファン
２００、６００  サイクロン集塵ユニット
２１０  ホコリ筒
２２０  サイクロン筒
２３０、６３０  保持軸
２４０、６４０  旋回ガイド部材
２５０、６５０  空気排出管
２６０  入口ガイド部材
２７０  ホコリ排出ボタン
２８０  分離レバー部材
５１１  上部ケーシング
５１２  下部ケーシング
５１４  底面吸入口
５１５  前方吸入口
５３０  ネック部
５８０  シャッター部材
５８１  回動胴体
５８３  シャッター板
５８５  傾斜片
５８８  補助傾斜片
６１０  外筒
６１５  外気流入孔
６１７  空気流入口
６２０  内筒
６６０  傾斜ガイド部材
６６１  第１部分
６６３、６６５  第２部分
６７０  開閉ノブ
６７２  開閉部
６７４  押し部
Ｃ１’  ホコリ収容チャンバ
【図１】
2011156345.tif 000004
【図２】
2011156345.tif 000005
【図３】
2011156345.tif 000006
【図４】
2011156345.tif 000007
【図５】
2011156345.tif 000008
【図６】
2011156345.tif 000009
【図７】
2011156345.tif 000010
【図８】
2011156345.tif 000011
【図９】
2011156345.tif 000012
【図１０】
2011156345.tif 000013
【図１１】
2011156345.tif 000014
【図１２】
2011156345.tif 000015
【図１３】
2011156345.tif 000016
【図１４】
2011156345.tif 000017
【図１５】
2011156345.tif 000018
【図１６】
2011156345.tif 000019
【図１７】
2011156345.tif 000020